(57)【要約】【課題】保育園などにおける児童に対して人数、入退園などを確認でき、保育士間の緊急の連絡もでき、園児の安全と共に保育士の負担の軽減も図ることができる安全管理システム及び携帯型端末を提供すること。【解決手段】少なくとも１人の管理対象者１である例えば児童に対して安全管理を行う安全管理システムであって、児童には衣服などに例えば名札型の発信手段２を装着しておき、施設１０内の主なエリアにはアンテナなどの検知手段３を配置する。園長室などに配置される管理サーバー４は、前記検知手段３からの児童存在の検知情報を基に、児童の存在位置を把握し、児童の数及び危険度を自動的に判定することができる。【選択図】　　図１
2004118362.tif 000002
【特許請求の範囲】
【請求項１】
管理対象者に装着可能な発信手段と；
施設内の少なくとも１つのエリアの各々に配置されて、前記管理対象者からの個別の発信信号を検知する検知手段と；
前記検知手段からの各エリアごとの検知情報を基に、前記管理対象者の存在位置を把握し、前記管理対象者の数及び危険度を判定する管理サーバーと；
を具備したことを特徴とする安全管理システム。
【請求項２】
管理対象者に装着可能な発信手段と；
施設内の少なくとも１つのエリアの各々に配置されて、前記管理対象者からの個別の発信信号を検知する検知手段と；
前記検知手段からの各エリアごとの検知情報を基に、前記管理対象者の存在位置を把握し、前記管理対象者の数及び危険度を判定し、送信する管理サーバーと；
前記管理サーバーから送信される情報を受信する機能と、該情報を表示する機能とを備え、前記管理対象者を管理する担当管理者が使用する携帯型端末であって、該端末ごとに前記管理サーバーが保有している管理対象者の数及び危険度の情報を前記管理サーバーから受信し提示することが可能な携帯型端末と；
を具備したことを特徴とする安全管理システム。
【請求項３】
前記携帯型端末は、複数の色光を発生する機能と、音声を発生する機能とを備え、色光の変化と音声情報によって前記管理対象者の危険度を提示することを特徴とする請求項２記載の安全管理システム。
【請求項４】
前記携帯型端末は、操作手段を備え、その操作によって、エリア別の情報を切り替える機能を有したことを特徴とする請求項２記載の安全管理システム。
【請求項５】
前記携帯型端末は、一斉放送の機能を備え、担当管理者が必要に応じて他の担当管理者に前記管理サーバーを介して一斉連絡可能としたことを特徴とする請求項２記載の安全管理システム。
【請求項６】
管理サーバーからの情報を受信する機能と、該情報を表示する機能とを備え、管理対象者を管理する担当管理者が使用する携帯型端末であって、該端末ごとに前記管理サーバーが保有している管理対象者の数及び危険度の情報を前記管理サーバーから受信し提示することが可能な携帯型端末。
【発明の詳細な説明】
【０００１】
【発明の属する技術分野】
本発明は、保育園などにおける児童に対して人数、入退園などを確認し、園児の安全を図るための安全管理システム及び携帯型端末に開する。
【０００２】
【従来の技術】
従来は、保育園、幼稚園などにおける児童の人数把握、入退園管理等は人間の手によって行われることが多かった。
【０００３】
従来の安全管理システムとしては、幼児誘拐防止のために、幼児の手首、足首などに、発振器付きのセンサーベルトを装着する一方、例えば医院内の特定エリア（＝新生児の居るエリア）の出入口にセンサーを設置し、幼児が特定エリアの出入口を通過したことを検知することにより、監視ステーション（＝ナースステーション）に設置された警報盤を鳴らすようにしたシステムがある（例えば、特許文献１参照）。
【０００４】
【特許文献１】
特開平８−３０８７７号公報（第１−３頁、図１参照）。
【０００５】
【発明が解決しようとする課題】
ところで、保育園では、保育士は任務の一つとして常に人数を把握していることが必要であり、登園してきた児童を何の異変もなくそのままの状態で退園させる必要がある。一方、保育士の本来の義務は保育であり常に人数把握を強いられることによって、保育に集中できないなどの問題が発生する。
【０００６】
また、出入口の管理に関しても、保育中には気が回らず、ずさんになることも否定できない。さらに、保育中は子供の声に、保育士同士の声もかき消され、連絡も思うようにとれない状況も発生する。
【０００７】
一方、特許文献１に記載の安全管理システムでは、監視ステーション内にいる人は、出入口のセンサー検知によって幼児が何らかの理由により特定エリアから連れ出されたことを知り、行動を起こすことができるが、何人が外部から特定エリア内に入っても文献１のシステムでは何も対処できず危険である。また、特許文献１のシステムは、施設内を自分で歩くことができる児童に対して、危険に対処できるシステムとはなっていない。
【０００８】
そこで、本発明は、上記の問題に鑑みてなされたもので、保育園などにおける児童に対して人数、入退園などを確認でき、保育士間の緊急の連絡もでき、園児の安全と共に保育士の負担の軽減も図ることができる安全管理システム及び携帯型端末を提供することを目的とするものである。
【０００９】
【課題を解決するための手段】
請求項１の発明の安全管理システムは、管理対象者に装着可能な発信手段と；施設内の少なくとも１つのエリアの各々に配置されて、前記管理対象者からの個別の発信信号を検知する検知手段と；前記検知手段からの各エリアごとの検知情報を基に、前記管理対象者の存在位置を把握し、前記管理対象者の数及び危険度を判定する管理サーバーと；を具備している。
【００１０】
上記の構成で、管理対象者とは、例えば保育園、幼稚園における児童であり、保育士である担当管理者（先生）によって管理される対象となる者を指している。発信手段は、アンテナ等の検知手段が検知可能な発信信号を発信する発信器であり、例えば管理対象者個別の識別信号を含んだ発信信号（電波信号）を出力する発信器で構成される。この発信手段は、例えば名札型の発信器や、手首や足首などにそのまま装着できるベルト型の発信器であることが好ましい。検知手段は発信手段からの発信信号を受信する室内アンテナなどのセンサーであり、施設内などの少なくとも１つのエリアの各々に配置される。施設とは、保育園、幼稚園のほかに、病院の新生児室、老人ホーム、収監施設など、安全などのために管理対象となる収容者を監視する必要がある施設である。従って、小学校、中学校、高校などの青少年の施設をも含めて考えることもできる。少なくとも１つのエリアは、施設内における担当管理者（先生）の担当エリアを少なくとも含んでおり、上記施設におけるエリアのほかに、指定された公園、遊園地などのエリアも含めて考えることができる。危険度とは、施設内のエリアのうち、担当管理者である先生の担当エリアからは目の届かないエリアや、予め危険な場所として指定されているエリアに管理対象者である児童が存在している状態における、施設内の複数のエリアにおける危険度の高低（段階）を示すものである。管理サーバーは、通常、施設内の管理責任者である園長室などに配置され、管理サーバー内には施設全体の全ての児童に関する属性情報がデータベースとして保存されており、児童やお迎え者（肉親）の入退園の管理（例えば、今日、登園している園児の数の把握）を行え、また施設全体のエリア別の識別情報や危険度を示す情報が記録され、危険エリアに園児が居ることを把握することもできる。
【００１１】
上記の事柄の説明は、以降の他の請求項の発明についても同様に適用することができる。
【００１２】
請求項１の発明によれば、施設内の児童などの管理対象者について、管理サーバーは、管理対象者からの個別の発信信号を、施設内の各エリアに配したアンテナなどの検知手段で検知することで、管理対象者の存在位置を把握し、その位置情報から管理対象者の人数及び危険度を判定することができる。
【００１３】
請求項２の発明の安全管理システムは、管理対象者に装着可能な発信手段と；施設内の少なくとも１つのエリアの各々に配置されて、前記管理対象者からの個別の発信信号を検知する検知手段と；前記検知手段からの各エリアごとの検知情報を基に、前記管理対象者の存在位置を把握し、前記管理対象者の数及び危険度を判定し、送信する管理サーバーと；前記管理サーバーから送信される情報を受信する機能と、該情報を表示する機能とを備え、前記管理対象者を管理する担当管理者が使用する携帯型端末であって、該端末ごとに前記管理サーバーが保有している管理対象者の数及び危険度の情報を前記管理サーバーから受信し提示することが可能な携帯型端末と；を具備している。
【００１４】
上記の構成で、この場合の管理サーバーには、携帯型端末のアンテナ機能に対して情報を送信するアンテナ機能を有していることが好ましい。携帯型端末は、管理サーバーから電波で送信される端末ごとの情報信号を受信し、この端末の担当管理者である先生に該情報を提示する機能を有している。
【００１５】
請求項２の発明によれば、管理サーバーは、管理対象者からの個別の発信信号を、施設内の各エリアに配したアンテナなどの検知手段で検知することで、管理対象者の存在位置を把握し、その位置情報から管理対象者の人数及び危険度を判定する。そして、管理サーバーは、各担当管理者が保有する携帯型端末ごとに管理対象者の数及び危険度の情報を送信し、各携帯型端末の各担当管理者に該情報を提示することができる。
【００１６】
請求項３の発明は、請求項２の安全管理システムにおいて、前記携帯型端末は、複数の色光を発生する機能と、音声を発生する機能とを備え、色光の変化と音声情報によって前記管理対象者の危険度を提示することを特徴としている。
【００１７】
この構成において、前記複数の色光を発生する機能としては、例えば緑色、アンバー色、赤色のＬＥＤによる発光を可能とし、赤色に近くなるほど危険度が高いことを示すようにし、同時に音声の大小或いは音声「ピッ」の数に応じて危険度が高いことを示すようにする。或いは、音声情報の表現にて管理対象者の数を示すようにしても良い。
【００１８】
請求項３の発明によれば、担当する管理対象者の危険度を、色光の違いや、アラーム音の種類や大小にて示すことが可能となる。
【００１９】
請求項４の発明は、請求項２の安全管理システムにおいて、前記携帯型端末は、操作手段を備え、その操作によって、エリア別の情報を切り替える機能を有したことを特徴としている。
【００２０】
この構成においては、各携帯型端末を保有する各担当管理者は、自分が担当している管理対象者と共に現在自分が居るエリアに応じて、操作手段に対してそのエリアに対応した操作を行うことにより、設定エリアの変更を行うことができる。
【００２１】
請求項４の発明によれば、各携帯型端末を保有する各担当管理者は、操作手段を用いて、自分が担当している児童等の管理対象者と自分が現在居るエリアを設定することで、その設定エリアに対する他のエリアの危険度等の情報を切り替えることができ、実際の危険度等の状況に応じた対処が可能となる。
【００２２】
請求項５の発明は、請求項２の安全管理システムにおいて、前記携帯型端末は、一斉放送の機能を備え、担当管理者が必要に応じて他の担当管理者に前記管理サーバーを介して一斉連絡可能としたことを特徴としている。
【００２３】
この構成によれば、情報を表示するだけでなく、一斉放送ができる機能を有することになり、緊急事態に対応することが可能となる。
【００２４】
請求項６の発明の携帯型端末は、管理サーバーからの情報を受信する機能と、該情報を表示する機能とを備え、管理対象者を管理する担当管理者が使用する携帯型端末であって、該端末ごとに前記管理サーバーが保有している管理対象者の数及び危険度の情報を前記管理サーバーから受信し提示することが可能である。
【００２５】
この発明の構成によれば、携帯型端末は、管理サーバーから電波信号にて送信される、端末ごとの情報を受信し、この端末の担当管理者である先生に該情報を提示する機能を有することができる。情報とは、各担当管理者が保有する携帯型端末ごとの管理対象者の人数及び危険度の情報である。
【００２６】
【発明の実施の形態】
発明の実施の形態について図面を参照して説明する。
図１は本発明の一実施の形態の安全管理システムの構成を示すブロック図である。本実施の形態では、施設として保育園の例を示している。
【００２７】
図１に示す安全管理システムは、施設内の少なくとも１つのエリアに配置したアンテナなどの検知手段で児童の位置及び数を検知し、人数の確認を行うための人数確認システムと、子供達の声に遮られることなく担当管理者間の通話が可能で、担当管理者間での一斉連絡を可能とするための担当管理者間の連絡システムと、施設の出入口で、保護者を通過させ、不審者を通過させないための出入口の入退出管理システムと、を有して構成されている。
【００２８】
安全管理システムは、管理対象者１である少なくとも１人の児童一人一人に装着可能な発信手段２である発信器と、管理対象者１が施設内の特定のエリア及びそれ以外の隔壁エリアにいることを検知するための検知手段３であるアンテナと、検知手段３からの検知情報を基に、管理対象者１の存在位置を把握し、管理対象者１の数及び危険度を判定する管理サーバー４である無線通信式サーバーと、管理サーバー４からの情報を受信する機能と、該情報を表示する機能と、音声入出力機能と、現在居るエリアを設定したり、人数の変更を手動入力するための操作機能と、ＬＥＤなどの色光発生機能と、他の担当管理者である保育士に管理サーバー４を介して一斉連絡するための一斉放送機能とを備えた担当管理者（保育士）用の携帯型端末であって、該端末ごとに管理サーバー４が保有している管理対象者１の数及び危険度の情報を管理サーバー４から受信し、担当管理者である保育士（図示せず）に提示することが可能な携帯型端末５と、施設の出入口に設けられ、ＩＣカードなどで構成される入退出カード７による個人情報を用いて電子錠を開錠可能であり、入退出時に保護者（及び児童）の入退出情報を送出する入退出管理装置６と、を具備している。
【００２９】
発信手段２である発信器としては、児童の衣服に装着出来る構造の例えば名札型の発信器を使用する。
【００３０】
検知手段３であるアンテナは、施設内のクラス分けした複数の保育室、遊戯室、園庭、トイレなどの各エリア（図示せず）にそれぞれ少なくとも１つを配置する。
【００３１】
管理サーバー４である無線通信式サーバーは、ＣＰＵ，メモリ，ハードディスク及びハードディスク内に記憶した情報を送受信する装置を少なくとも有したサーバー本体４ａと、液晶ディスプレイ等の表示装置４ｂと、キーボード等の入力装置４ｃと、を具備している。管理サーバー４は、通常、施設の管理責任者である園長の部屋などに配置される。
【００３２】
携帯型端末５は、管理サーバー４から電波で送信される端末ごとの情報信号を受信し、この端末の担当管理者である保育士に該情報を提示する機能を有している。そして、各クラスを担当する各担当責任者である保育士が絶えず持ち運びできるように携帯型端末５の一部に例えば孔が開けられており、ここに紐を通して首から下げることができるようにしてある。
【００３３】
入退出管理装置６は、施設の出入口に設けられて、例えばＩＣチッブなど個人情報がはいったカードによって開錠する電子錠と、そのカード情報を管理サーバー４に送信する機能と、カードでの開錠時の個人情報を基に、入退出の情報を送出する機能と、を有している。入退出管理装置６については、登園用の管理装置と、降園用の管理装置をそれぞれ設けても良いし、１つの管理装置で登降園を管理できる構成としても良い。
【００３４】
なお、本実施の形態における発信手段２，検知手段３，サーバー４，端末５，管理装置６の各通信手段は全て無線方式を用いているが、本発明ではこれに限定されることなく、例えば検知手段３とサーバー４間を有線にするなど各装置間の通信を行うのに有線方式を適宜用いもよい。
【００３５】
図１の構成によれば、管理サーバー４は、管理対象者１に装着した発信手段２からの個別の発信信号を、施設内の各エリアに配したアンテナなどの検知手段３で検知することで、管理対象者１の存在位置を把握し、その位置情報から管理対象者１の人数及び危険度を判定する。そして、管理サーバー４は、各担当管理者が保有する携帯型端末５ごとに管理対象者１の数及び危険度の情報を送信し、各携帯型端末５の各担当管理者に該情報を提示することができる。また、子供達の声に遮られることなく担当管理者間で通話が可能で、緊急時に備えて他の担当管理者に対する一斉連絡が可能である。さらに、施設の出入口で、保護者を通過させて、不審者を通過させないための入退出管理を行え、児童の誘拐等を防止することが可能である。
【００３６】
図２は安全管理システムの設置例（施設内）を示す図である。
図２で、施設１０内には、保育室Ａ，Ｂ，Ｃ、廊下エリアＤ、遊戯室Ｅ、トイレ（Ｗ．Ｃと略記）Ｆ、園庭Ｇ、給食室Ｈ、園長室Ｉ、出入口付近のエリアＪ等があり、外部へ通じる出入口（又は門）１１を有している。各担当管理者である各保育士（図示せず）が担当する主たるエリアである保育室Ａ，Ｂ，Ｃには、検知手段である室内アンテナ３ａ，３ｂ，３ｃと各担当管理者である保育士が使用する携帯型端末５ａ，５ｂ，５ｃがある。例えば、携帯型端末５ａは、保育室Ａに存在すべき（すなわち部屋Ａを担当する保育士が知るべき）児童の数及び危険度を示す情報が、園長室Ｉの管理サーバー４から送信されてきて、端末５ａの表示部に表示されるようになっている。同様に、携帯型端末５ｂ，５ｃには、保育室Ｂ，Ｃに存在すべき（すなわち部屋Ｂ，Ｃを担当する各保育士が知るべき）児童の数及び危険度を示す情報が、園長室Ｉの管理サーバー４から送信されてきて、端末５ｂ，５ｃの各表示部に表示されるようになっている。
【００３７】
また、トイレＦ、園庭Ｇなどの死角の多い場所（すなわち危険度の高いと考えられる場所）には、追加の検知手段であるアンテナ３ｆ，３ｇが配置されている。園庭Ｇのように植込み等があり広く死角の多い場所には、アンテナ３ｇが複数配置されている。
園長室Ｉには管理サーバー４が配置され、出入口１１には入退出管理装置６が配置されている。
【００３８】
図３は図２の配置における人数確認システムの概要（施設内）を示す図である。
【００３９】
図３（ａ）に示すように、発信手段２は例えば名札バッチ形発信器で構成されて、管理対象者１である児童の衣服に装着されている。そして、図３（ｂ）に示すように、管理サーバー４が、例えば部屋Ａの室内アンテナ３ａを介して部屋Ａに居るべき所定数（今日、登園している担当人数）の児童がそれぞれ身に付けている複数（図では４つ）の名札バッチ形発信器２と交信し、４つの発信器２からそれぞれ出力される固有の認識情報を持った発信信号を受信することで、施設１０内のエリアＡにおける児童の数、並びに別のエリア（例えばエリアＥ（及びＤ），Ｆ，Ｇ）のアンテナで検知される児童数を、担当の保育士２０が所持した携帯形端末５ａの表示部に提示することができる。これにより、担当の保育士２０は、施設１０内における担当児童の位置及び数、並びに、危険エリアに居る児童及びその数（すなわち危険度）を知ることができる。
【００４０】
図４〜図９は図２の配置における施設内の人数確認の例を説明する図である。図４の例は、保育士２０の担当エリアが保育室Ａの場合において、担当エリアＡに担当児童が全員いる時の、施設１０内の担当児童の人数確認を説明するものである。
【００４１】
図４（ａ）に示すように、携帯形端末５（ここでは５ａ）は正面形状が略卵形を有しており、幅広部分の円形部５１には長方形状の表示部５２が設けられ、その下方の幅狭になる部分には操作手段５３を構成する３つの押圧式の操作ボタン５３ｅ，５３ｆ，５３ｇが設けられ、さらにその下方には音声入力用のマイク５４が設けられており、最も下方の凸形状の先端部分には端末５ａを首に下げるための紐（図示せず）を通す孔５５が形成されている。さらに、上記円形部５１の下方部分には音出力部５６が設けられ、端末５の（図示せず）上方の先端部分には児童が存在するエリアの危険度に応じて異なって色光を発生するための発光部５７が設けられている。なお、携帯型端末５の背面には、管理サーバー４を介して実施される、後述する一斉放送或いは一斉連絡と呼ばれる緊急連絡の音声を出力するためのスピーカが設けられており、端末５の下方の幅狭になる部分の外周辺部分に形成されている複数個の円形の小突起５８は、担当の保育士が端末５を手で保持した場合の滑り止めとなるものである。
【００４２】
次に図４（ａ）の表示部５２の表示内容を、図４（ｂ）に示す施設１０内での児童の存在すべきエリアＡと他の主なエリアＥ（及びＤ），Ｆ，Ｇとの対応の上で説明する。
【００４３】
図４（ｂ）に示すように、保育室Ａに８人の児童１が担当の保育士２０と共に存在しているとする。すなわち、エリアＡ内に担当児童１が全員いる状態となっている。このとき、携帯型端末５ａは特に変化しない。
【００４４】
表示部５２の中央部分５２ｂには、エリアＡにおいて携帯型端末５ａが本来担当すべき児童数（今日、登園してきている担当児童数）について、（保育室Ａに存在している児童数）／（保育室Ａに所属している登園児童数）の形式で、すなわち、８／８　として表示されている。
【００４５】
表示部５２の上部５２ａには、本来存在すべきエリアＡとは別のエリアＥ（及びＤ），Ｆ，Ｇ（危険度はＥ（及びＤ）＜Ｆ＜Ｇの順に高くなっている）に対応したマーク○，□，△が表示されており、各マーク○，□，△の次にそれぞれのエリアＥ，Ｆ，Ｇにそれぞれ存在する児童の人数が表示可能となっている。エリアＡ内に担当児童が全員いるので、マーク○，□，△の後の表示人数はいずれも０となっている。に
表示部５２の下部５２ｃには、表示部５２の上部５２ａの表示人数の変化に応じて、管理サーバー４からのコメントが表示されるようになっている。エリアＡ内に担当児童が全員いるので、「現在、エリアから出ている人はいません。」と表示されている。
【００４６】
図５の例は、保育士２０の担当エリアが保育室Ａの場合において、担当エリアＡ外に担当児童が出ている時の、施設１０内の担当児童の人数確認を説明するものである。
【００４７】
図５（ａ）の表示部５２の表示内容を、図５（ｂ）に示す施設１０内での児童の存在すべきエリアＡと他の主なエリアＥ（及びＤ），Ｆ，Ｇとの対応の上で説明する。
【００４８】
図５（ｂ）に示すように、保育室Ａに７人の担当児童１がおり、保育室Ａの外に担当児童１が１人出ているが、それほど危険ではない安全地域Ｄに居り、この児童は遊戯室Ｅと同じアンテナ３ｅで検知され、これが管理サーバー４を介して携帯型端末５ａに知らされる。携帯型端末５ａでは、その発光部５７の緑色ＬＥＤが点滅し、かつ音出力部５６から小さい音のアラーム「ピッッッピッッッピ…」が鳴り、保育室Ａの担当保育士２０に保育室Ａの外に児童が出たことを知らせる。
【００４９】
表示部５２の中央部分５２ｂには、（保育室Ａに存在している児童数）／（保育室Ａに所属している登園児童数）の形式で、すなわち、７／８　として表示されている。
【００５０】
表示部５２の上部５２ａには、エリアＤに担当児童が１人いるので、マーク○の後の表示人数は１となっており、マーク□，△の後の表示人数はいずれも０となっている。
【００５１】
表示部５２の下部５２ｃには、管理サーバー４からのコメントとして、「注意！Ｘ君がエリア外に出ています。」と表示されている。
【００５２】
図６の例は、保育士２０の担当エリアが保育室Ａの場合において、担当児童がトイレに入って一定時間過ぎた時の、施設１０内の担当児童の人数確認を説明するものである。
【００５３】
図６（ａ）の表示部５２の表示内容を、図６（ｂ）に示す施設１０内での児童の存在すべきエリアＡと他の主なエリアＥ（及びＤ），Ｆ，Ｇとの対応の上で説明する。
【００５４】
図６（ｂ）に示すように、保育室Ａに６人の担当児童１がおり、保育室Ａの外に担当児童１が２人出ており、そのうちの１人はエリアＤに居り、もう１人はトイレＦに居る。トイレＦは、遮蔽されたエリアであるため、管理サーバー４にはエリアＥ（及びＤ）に比べて多少危険度の高いエリアであるとして登録されている。トイレＦに居る担当児童１は、アンテナ３ｆで検知され、これが管理サーバー４を介して携帯型端末５ａに知らされる。そして、担当児童がトイレＦに入って一定時間が過ぎた場合、携帯型端末５ａでは、その発光部５７のアンバー色ＬＥＤが点滅し、かつ音出力部５６から連続したアラーム「ピッピッピ…」が鳴り、保育室Ａの担当保育士２０にトイレＦに一定時間以上、担当児童が居ることを色光と音声とで注意を促す。また、下記のように表示によっても知らせている。
【００５５】
表示部５２の中央部分５２ｂには、（保育室Ａに存在している児童数）／（保育室Ａに所属している登園児童数）の形式で、すなわち、６／８　として表示されている。
【００５６】
表示部５２の上部５２ａには、エリアＤに担当児童が１人いるので、マーク○の後の表示人数は１、またエリアＦに担当児童が１人いるので、マーク□の後の表示人数は１、マーク△の後の表示人数は０となっている。
【００５７】
表示部５２の下部５２ｃには、管理サーバー４からのコメントとして、「注意！Ｘ君が長時間トイレにいます。」と表示される。
【００５８】
図７の例は、保育士２０の担当エリアが保育室Ａの場合において、担当児童が園庭に出た時の、施設１０内の担当児童の人数確認を説明するものである。
【００５９】
図７（ａ）の表示部５２の表示内容を、図７（ｂ）に示す施設１０内での児童の存在すべきエリアＡと他の主なエリアＥ（及びＤ），Ｆ，Ｇとの対応の上で説明する。
【００６０】
図７（ｂ）に示すように、保育室Ａに６人の担当児童１がおり、保育室Ａの外に担当児童１が２人出ており、そのうちの１人はエリアＤに居り、もう１人は園庭Ｇに出ている。園庭Ｇは、目の届きにくいエリアであるため、管理サーバー４にはエリアＥ（及びＤ）やエリアＦに比べて最も危険度の高いエリアであるとして登録されている。園庭Ｇに居る担当児童１は、アンテナ３ｇで検知され、これが管理サーバー４を介して携帯型端末５ａに知らされる。携帯型端末５ａでは、その発光部５７の赤色ＬＥＤが点滅し、かつ音出力部５６から連続したアラーム「ピピッピピッ…」が鳴り、保育室Ａの担当保育士２０に園庭Ｇに、担当児童が居ることを色光と音声とで警告する。また、下記のように表示によっても知らせている。
【００６１】
表示部５２の中央部分５２ｂには、（保育室Ａに存在している児童数）／（保育室Ａに所属している登園児童数）の形式で、すなわち、６／８　として表示されている。
【００６２】
表示部５２の上部５２ａには、エリアＤに担当児童が１人いるので、マーク○の後の表示人数は１、またエリアＧに担当児童が１人いるので、マーク△の後の表示人数は１、マーク□の後の表示人数は０となっている。
【００６３】
表示部５２の下部５２ｃには、管理サーバー４からのコメントとして、「注意！Ｙちゃんが▲エリアに出ています。」と表示される。
【００６４】
なお、図４〜図７で述べた危険度の順Ｇ＞Ｆ＞Ｅ（及びＤ）は、保育士２０が担当する児童と共に保育室Ａに居る場合であって、保育室Ａに児童全員が居る状態から見て、園庭Ｇが最も危険度が高く、次にトイレＦが危険度が高いとして管理サーバー４に登録されている場合の説明である。従って、保育士２０が担当する児童と共に他のエリア、例えば園庭Ｇに保育士２０とども全員移動して保育士２０の管理の下で遊んでいる場合は、園庭Ｇは園庭Ｇに居る担当児童にとっては危険度の少ないエリアであるということができる。これについて後述する。
【００６５】
図８の例は、保育士２０とその担当児童全員が、本来居るべきエリアである保育室Ａから遊戯室Ｅに移動した場合における、施設１０内の担当児童の人数確認を説明するものである。
【００６６】
図８（ａ）の表示部５２の表示内容を、図８（ｂ）に示す施設１０内での児童の移動したエリアＥと他の主なエリアＦ，Ｇとの対応の上で説明する。なお、図８（ａ），（ｂ）上のマーク○，△，□はそれぞれエリアＥ，Ｇ，Ｆに対応している。
【００６７】
図８（ｂ）に示すように、エリアＡからエリアＥに移動する場合は、保育士２０は自分の所持している携帯型端末５ａの操作ボタン５３ｅを押下することで、設定エリアをエリアＥに変更できる。すなわち、操作ボタン５３ｅを押下することにより、自分達の居場所が管理サーバー４に報告される。従って、エリア変更後は、保育士２０の担当児童は、エリアＥ（及びＤ）にいる児童はアンテナ３ｅにて検知され、管理サーバー４では設定エリア内に居るとして認識する。エリアＥ（及びＤ）外に出た児童は、管理サーバー４では設定エリア外に居るとして認識される。エリアＦ，Ｇに行った児童はそれぞれアンテナ３ｆ，３ｇにて検知されることはこれまでと同様である。
【００６８】
図８（ｂ）のように、保育士２０及びその担当児童８人がエリアＥに居る状態では、図８（ａ）に示すように携帯型端末５ａの表示部５２の中央部分５２ｂには、（遊戯室Ｅに存在している児童数）／（保育室Ａに所属している登園児童数）の形式で、すなわち、８／８　として表示されている。
【００６９】
表示部５２の上部５２ａには、エリアＥに担当児童全員がいるので、マーク○の後の表示人数が８、他のエリアＦ，Ｇには担当児童がいないので、マーク□，△の後の表示人数は０となっている。
【００７０】
表示部５２の下部５２ｃには、管理サーバー４からのコメントとして、「現在、エリアから出ている人はいません。」と表示される。
【００７１】
なお、設定エリアがＥの場合には、エリアＥが本来、危険度の低い領域であるため、管理サーバー４による危険度の順位は前述と同様にＧ＞Ｆ＞Ｅ（及びＤ）のままである。
【００７２】
図９の例は、図８の状態から、保育士２０とその担当児童全員が、遊戯室Ｅから園庭Ｇに移動した場合における、施設１０内の担当児童の人数確認を説明するものである。
【００７３】
図９（ａ）の表示部５２の表示内容を、図９（ｂ）に示す施設１０内での児童の移動したエリアＧと他の主なエリアＥ（及びＤ），Ｆとの対応の上で説明する。なお、図９（ａ），（ｂ）上のマーク○，△，□はそれぞれエリアＥ，Ｇ，Ｆに対応している。
【００７４】
図９（ｂ）に示すように、エリアＥからエリアＧに移動する場合は、保育士２０は自分の所持している携帯型端末５ａの操作ボタン５３ｇを押下することで、設定エリアをエリアＧに変更できる。すなわち、操作ボタン５３ｇを押下することにより、自分達の居場所が管理サーバー４に報告される。従って、エリア変更後は、保育士２０の担当児童は、エリアＧにいる児童はアンテナ３ｇにて検知され、管理サーバー４では設定エリア内に居るとして認識する。エリアＧ外に出た児童は、管理サーバー４では設定エリア外に居るとして認識される。エリアＥ（及びＤ），Ｆに行った児童はそれぞれアンテナ３ｅ，３ｆにて検知されることはこれまでと同様である。
【００７５】
図９（ｂ）のように、保育士２０及びその担当児童８人がエリアＧに居る状態では、図９（ａ）に示すように携帯型端末５ａの表示部５２の中央部分５２ｂには、（園庭Ｇに存在している児童数）／（保育室Ａに所属している登園児童数）の形式で、すなわち、８／８　として表示されている。
【００７６】
表示部５２の上部５２ａには、エリアＧに担当児童全員がいるので、マーク△の後の表示人数が８、他のエリアＥ（及びＤ），Ｆには担当児童がいないので、マーク○，□の後の表示人数は０となっている。
【００７７】
表示部５２の下部５２ｃには、管理サーバー４からのコメントとして、「現在、エリアから出ている人はいません。」と表示される。
【００７８】
なお、設定エリアがＧの場合には、エリアＧは本来、危険度の最も高い領域であるが、担当管理者たる保育士２０が１人（乃至２人）いれば、危険区域ではなくなるので、管理サーバー４による危険度の順位は、例えばＦ＞Ｅ（及びＤ）＞Ｇとされる。このように危険度の領域順位が変わっても、危険エリアに担当児童が出た場合における、携帯型端末５ａの発光部５７からの色光の色や、音出力部５６からのアラーム音は、危険度の大きさに応じたものとなる。
【００７９】
通常、赤色ＬＥＤ点滅（及びアラーム音「ピピッピピッ…」）が危険度が最も高い場合であり、アンバーＬＥＤ点滅（及びアラーム音「ピッピッ…」）が危険度が次の場合、緑色ＬＥＤ点滅（及びアラーム音「ピッッッピッッッピ…」）が危険度が最も少ない場合である。
【００８０】
図１０は施設内での保育士間の連絡の例を示す図である。
図１０では、施設１０内での保育士間の連絡をとれる通信機能を説明している。携帯型端末は、管理サーバー４に対して情報を送受信する機能と、該情報を表示部５２に表示する機能と、音声入力部５４による音声入力機能と、音声出力部（端末背面側のスピーカ）による音声出力機能とを備えている。
【００８１】
担当管理者である保育士２０が所持している携帯型端末５（５ａ〜５ｃのいずれでもよい）は、通信機能として一斉放送の機能を備えており、保育士２０が必要に応じて他の保育士に連絡したい場合は、端末５の操作ボタンを操作することで一斉放送が可能となり、管理サーバー４を介して他の保育士の携帯型端末５に対して一斉連絡することができる。
【００８２】
このような、一斉連絡を必要とする場合は、図１０に示されるように、子供１の怪我の応急処置、破損した物の掃除などの緊急を要する事態が発生した場合である。
【００８３】
例えば、緊急連絡を必要とする保育士２０は、携帯型端末５ａの操作ボタン５３ｇを連続的に２回に押下（クリック）すると、一斉放送が可能状態となると共に管理サーバー４のサーバー本体４ａにその旨の通知がなされる。保育士２０が音声入力部５４のマイクに向って緊急事態を告げると、その音声がサーバー本体４ａで受信され、該サーバー本体４ａはその受信信号に対して増幅等の処理を行って、他の携帯型端末５ｂ，５ｃに再送信する。例えば他の携帯型端末５ｃからは、前記の連絡を発した保育士２０の声が端末背面側のスピーカから拡声されて出力され、携帯型端末５ｃの保育士に連絡することができる。これにより、緊急連絡事項が各保育士の各携帯型端末に直接届けることができるため、従来のように肉声のみで連絡する場合のように、子供の声にかき消されて連絡が不行き届きになることもなく、緊急事態に対して保育士同士の連携を速やかに図ることができる。
【００８４】
なお、一斉放送の機能は、例えばトランシーバの機能であると相手を特定する機能が必要になるが、保育施設の場合には危険だとか、誰かお迎えに来たとか、などを一斉放送的に連絡して全ての保育士に伝えることが好ましい。つまり、緊急事態に対応できることと、相手を特定することなく素早く連絡できるようにするという意味で、一斉放送を採用している。
【００８５】
そして、管理サーバー４のサーバー本体４ａに通知された緊急事態の発生は、サーバー表示部４ｂの画面上に緊急通知として表示することもできる。これにより、園長室Ｉに置かれた管理サーバー４にて、施設１０の責任者たる園長にも事態発生を通知できる一方、サーバー４側に配置したスピーカにて保育士２０からの一斉放送内容を知ることも可能である。
【００８６】
また、携帯型端末５ａの特定のボタン例えば操作ボタン５３ｆを連続的に２回押下（クリック）することにより、管理サーバー４のサーバー本体４ａを介して他の携帯型端末５ｂ，５ｃに対して即座に緊急事態発生の注意を促すための警報及び表示をすることもできる。このとき、警報は、例えば携帯型端末５ｃの音出力部５６から「ピピピピ…」といったアラーム音を発生させ、同時に表示は、表示部５２に「緊急事態！」のような文字を大きく表示させるようにする。
【００８７】
図１１は登降園及び入退出管理のシステム概要を示す図である。
図１１（ａ）では、施設１０の出入口１１での登降園簿の機能と、防犯面からの入退出管理の機能を携帯型端末との関係で説明するものである。図１１（ｂ）は、児童が施設内から退出する時の携帯型端末５ａの表示部における表示例を拡大して示している。
【００８８】
登降園に関しては、入退出管理装置６は、施設１０の出入口１１に例えばＩＣチッブなど個人情報がはいった入退出カード７によって開錠する電子錠（図示せず）と、そのカード情報を管理サーバー４に送信する機能と、入退出カード７での開錠時の個人情報を基に、入退園管理をする機能とを有している。
【００８９】
入退出管理装置６の操作盤は、入退出カード７の読取部５１と、暗証番号等を入力するためのテンキー入力部６２と、非常用の呼出ボタン６３と、呼び出した際に入出場者とサーバー側管理者とで音声を入出力するための音声入出力部６４など、を備えている。
【００９０】
園児１に発信器２を付けているが、その発信器２の発信信号にはＩＤ情報が入るようにしておいて、そのＩＤ情報とリンクした保護者用の入退出カード７を用意する。この入退出カード７を保護者３０に持たせ、保護者３０が出入口１１を入出する際に、入退出カード７を入退出管理装置６の読取部６１にタッチすることと、テンキー入力部６２にて暗証番号を入力することにより、入退出カード情報（ＩＤ情報）と暗証番号情報とに基づいて、入退出管理装置６は管理サーバー４の管理データと一致しているが否かを判断し、一致していれば、電子錠を開錠する。同時に、入退出カード情報（ＩＤ情報）と暗証番号情報とが入退出管理装置６から電波で、管理サーバー４のサーバー本体４ａへ送信され、サーバー本体４ａで受信された後、ＩＤ情報で識別される登園児童を登降園簿データとして記録する。管理サーバー４では、この登園児童がどの保育士が担当する児童であるかを判別し、担当保育士２０の携帯型端末５ａへ担当人数の増減を知らせる。これにより、携帯型端末５ａでは、現在の担当人数の増減を例えば保育室Ａに所属している登園児童数として表示部５２に自動的に表示することができる。
【００９１】
一方、園児の退園時には、登園時と同様に、保護者３０が入退出カード７を入退出管理装置６の読取部６１にタッチすることと、テンキー入力部６２にて暗証番号を入力することにより、園児の管理データと一致していれば、登園している児童の保護者であるとして電子錠を開錠すると同時に、保護者がお迎えに来ていることを管理サーバー４のサーバー本体４ａに知らせる。サーバー本体４ａは、保護者がお迎えに来ていることを情報として携帯型端末５ａに送信することで、その表示部５２には図１１（ｂ）に拡大して示すように「Ｘ君のお迎えがいらっしゃいました。」という表示がなされる。
【００９２】
そして、保護者３０が園児と共に退出する際に再び入退出カード７を入退出管理装置６の読取部６１にタッチすると、入退出管理装置６は保護者３０及びその園児の退出を検出し、その児童のＩＤ情報及び退出が管理サーバー４に知らされることで、サーバー本体４ａの登降園簿データがその園児の退出を記録すると同時に携帯型端末５ａの表示部５２に表示されている、（保育室Ａに存在している児童数）／（保育室Ａに所属している登園児童数）の形式での人数表示を、例えば退出前の８／８から７／７のように変更する。すなわち、携帯型端末５ａの管理児童人数の表示が変更される。
【００９３】
図１１の入退出管理システムでは、送り迎えする保護者（例えば母親）３０にＩＣカードによる入退出カードを持たせ、予め保護者（例えば母親）３０とその子供である児童１とを関連付けておき、保護者のＩＤ情報と入退出の管理情報から、保護者の入退園に伴い、登園児童のカウント総数にフィードバックさせることができる。しかも、出入口１１での入退出管理と、各保育士の保持する携帯型端末５ａとが、管理サーバー４を介して連動しており、担当児童の入退園管理も自動的かつ効率的に行える。
【００９４】
なお、本入退出管理システムでは、入退園管理を自動的に行うほかに、例えば複数の保護者が時間的に同じだった等のために１枚の入退出カードで複数の送り迎えの父兄が施設１０内に入ってしまったというようなことが起こる。このような場合など、不測の事態に対処できるようにするため、携帯型端末５には担当保育士２０が手動で自分の担当の人数を変更（増減）し、その変更を管理サーバー４に送信する機能を備えている。つまり、担当児童の人数の変更を、別に設けた増減用の操作ボタン（図示せず）の操作（或いは、例えば既存の操作ボタン５３ｅの操作方法を変えることで兼用する）で入力できるようにする。
【００９５】
本発明は、以上述べた実施の形態に限るものではなく、本発明の要旨を変えない範囲で実施の形態を適宜変更して実施することができる。
【００９６】
例えば、入退出管理システムについて言えば、担当管理者である保育士に入退出カードを利用してもらい、園児の入退出に限らず、保育士の出退勤を管理サーバーに記録すれば、出退勤の管理にも使用することができる。すなわち、安全管理システムにタイムカード機能を具備させることもできる。このように実施の形態以外の種々の機能を盛り込むことが可能である。
【００９７】
【発明の効果】
請求項１の発明によれば、児童等の管理対象者に付けた発信手段からの個別の発信信号を、施設内の各エリアに配したアンテナ等の検知手段で検知することで、管理サーバーは管理対象者の存在位置を把握し、その位置情報から管理対象者の人数及び危険度を判定する可能となる。
【００９８】
請求項２の発明によれば、児童等の管理対象者に付けた発信手段からの個別の発信信号を、施設内の各エリアに配したアンテナ等の検知手段で検知することで、管理サーバーは管理対象者の存在位置を把握し、その位置情報から管理対象者の人数及び危険度を判定する可能となる。そして、管理サーバーは、各担当管理者が担当する管理対象者の数及び危険度の情報を、各担当管理者の携帯型端末に送信し、各担当管理者に提示することができる。これにより、各担当管理者は自分の担当する児童等の管理対象者の人数把握の手間が省け、本来の保育等の仕事にに集中できる利点がある。
【００９９】
請求項３の発明によれば、担当する管理対象者の危険度を、色光の違いや、アラーム音の種類や大小にて示すことが可能となる。
【０１００】
請求項４の発明によれば、各携帯型端末を保有する各担当管理者は、操作手段を用いて、自分が担当している児童等の管理対象者と自分が現在居るエリアを設定することで、その設定エリアに対する他のエリアの危険度等の情報を切り替えることができ、実際の危険度等の状況に応じた対処が可能となる。
【０１０１】
請求項５の発明によれば、情報を表示するだけでなく、一斉放送および一斉連絡ができる機能を有することになり、緊急事態に対応することが可能となる。
【０１０２】
請求項６の発明によれば、携帯型端末は、管理サーバーから電波信号にて送信される、端末ごとの情報（例えば、各担当管理者が保有する携帯型端末ごとの管理対象者の人数及び危険度の情報）を受信し、この端末の担当管理者である先生に該情報を提示する機能を有することができる。
【図面の簡単な説明】
【図１】本発明の一実施の形態の安全管理システムの構成を示すブロック図。
【図２】安全管理システムの設置例（施設内）を示す図。
【図３】図２の配置における人数確認システムの概要（施設内）を示す図。
【図４】図２の配置における施設内の人数確認の例を説明する図。
【図５】図２の配置における施設内の人数確認の例を説明する図。
【図６】図２の配置における施設内の人数確認の例を説明する図。
【図７】図２の配置における施設内の人数確認の例を説明する図。
【図８】図２の配置における施設内の人数確認の例を説明する図。
【図９】図２の配置における施設内の人数確認の例を説明する図。
【図１０】施設内での保育士間の連絡の例を示す図。
【図１１】登降園及び入退出管理のシステム概要を示す図。
【符号の説明】
１…管理対象者（児童）
２…発信手段
３…検知手段
４…管理サーバー
５，５ａ，５ｂ，５ｃ…携帯型端末
６…入退出管理装置
７…入退出カード
【図１】
2004118362.tif 000003
【図２】
2004118362.tif 000004
【図３】
2004118362.tif 000005
【図４】
2004118362.tif 000006
【図５】
2004118362.tif 000007
【図６】
2004118362.tif 000008
【図７】
2004118362.tif 000009
【図８】
2004118362.tif 000010
【図９】
2004118362.tif 000011
【図１０】
2004118362.tif 000012
【図１１】
2004118362.tif 000013